(57)【特許請求の範囲】
【請求項１】
屋根下地上に支持部材および接続部材を介して太陽電池モジュールを取付ける外装構造において、
前記支持部材は、桁行き方向に配設すると共に、太陽電池モジュールの軒側端部が載置される棟側に突出状の棟側載置部と、太陽電池モジュールの棟側端部が挿入可能な開口部を有する支持空間部を備え、
前記接続部材は、上下段に配された前記支持部材間に当該支持部材および／または屋根下地に組み付け状態で配設されると共に、桁行き方向に隣り合う太陽電池モジュールの左右の側縁部が載乗可能な載乗部を有する下接続部材と、この左右の側縁部に跨る押え部を有する上接続部材からなり、
上段側の支持部材の前記支持空間部に太陽電池モジュールの棟側端部が挿入されて支持され、当該太陽電池モジュールの軒側端部が下段側の支持部材の前記棟側載置部上に載置され、当該太陽電池モジュールの桁行き方向の左右側縁部が前記上下の接続部材で挟持状に保持され、
前記下接続部材の軒側端部は、前記支持部材の棟側載置部の裏面に沿接状に位置することを特徴とする外装構造。
【請求項２】
屋根下地上に支持部材および接続部材を介して太陽電池モジュールを取付ける外装構造において、
前記支持部材は、桁行き方向に配設すると共に、太陽電池モジュールの軒側端部が載置される棟側に突出状の棟側載置部と、太陽電池モジュールの棟側端部が挿入可能な開口部を有する支持空間部を備え、
前記接続部材は、上下段に配された前記支持部材間に当該支持部材および／または屋根下地に組み付け状態で配設されると共に、桁行き方向に隣り合う太陽電池モジュールの左右の側縁部が載乗可能な載乗部を有する下接続部材と、この左右の側縁部に跨る押え部を有する上接続部材からなり、
上段側の支持部材の前記支持空間部に太陽電池モジュールの棟側端部が挿入されて支持され、当該太陽電池モジュールの軒側端部が下段側の支持部材の前記棟側載置部上に載置され、当該太陽電池モジュールの桁行き方向の左右側縁部が前記上下の接続部材で挟持状に保持され、
前記支持部材は、前記棟側載置部の下位に棟側に開口状の溝状支え部を設け、前記下接続部材の軒側端部が該溝状支え部内に位置することを特徴とする外装構造。
【請求項３】
前記支持部材は、前記棟側載置部の下位に棟側に開口状の溝状支え部を設け、前記下接続部材の軒側端部が該溝状支え部内に位置することを特徴とする請求項１記載の外装構造。
【請求項４】
屋根下地上に支持部材および接続部材を介して太陽電池モジュールを取付ける外装構造において、
前記支持部材は、桁行き方向に配設すると共に、太陽電池モジュールの軒側端部が載置される棟側に突出状の棟側載置部と、太陽電池モジュールの棟側端部が挿入可能な開口部を有する支持空間部を備え、
前記接続部材は、上下段に配された前記支持部材間に当該支持部材および／または屋根下地に組み付け状態で配設されると共に、桁行き方向に隣り合う太陽電池モジュールの左右の側縁部が載乗可能な載乗部を有する下接続部材と、この左右の側縁部に跨る押え部を有する上接続部材からなり、
上段側の支持部材の前記支持空間部に太陽電池モジュールの棟側端部が挿入されて支持され、当該太陽電池モジュールの軒側端部が下段側の支持部材の前記棟側載置部上に載置され、当該太陽電池モジュールの桁行き方向の左右側縁部が前記上下の接続部材で挟持状に保持され、
前記支持部材は、開口部の下位に軒側に突出状の軒側載置部を設け、前記下接続部材の棟側端部が該軒側載置部上に位置することを特徴とする外装構造。
【発明の詳細な説明】
【技術分野】
【０００１】
本発明は太陽熱集熱装置を備えた外装構造に関する。
【背景技術】
【０００２】
従来例では、太陽電池モジュールの周縁に枠材（フレーム）を配して「パネル」として敷設するものや、同モジュールを屋根材の表面に一体化（貼着等）して敷設している。
前者の「パネル」として敷設する場合、太陽電池モジュールの水上側、水下側、左右側縁にフレームを取り付けて屋根パネルとして施工するものである（特許文献１および特許文献２参照）。
後者の屋根材の表面に貼着する場合、屋根材の対象部分にモジュール収納用（凹部等）やケーブルの取り出し用開口部等の加工を行い、モジュールを一体化した屋根材を屋根面に施工するものである（特許文献３および特許文献４参照）。
しかし、パネル化するものでは、フレーム材が複数になることが避けられずに材料費の増大や、組み付け（パネル化）に時間を要し、また、屋根材に一体化するものでは、屋根材の成型や一体化作業にコストがかかるという問題があり、特に、屋根上に太陽電池モジュールを敷設し終えるまでの一連の作業手間に関する施工性について、より簡単に、より速く、施工し得るものが望ましい。
【特許文献１】特開平９−２７９７９０
【特許文献２】特開平１０−２９４４８５
【特許文献３】特開平６−１４０６５６
【特許文献４】特開平１１−３３０５２５
【発明の開示】
【発明が解決しようとする課題】
【０００３】
解決しようとする課題は、第１には、屋根下地上に支持部材および接続部材を介して行う太陽電池モジュールの施工およびメンテナンスが挿入して載置する組み付け作業そして抜いて取り上げる作業により行なえて簡単且つ容易であり、建築コストが安価で、支持部材から内部への侵入水が妨げられ、太陽電池モジュールの軒側端部からモジュール裏面への侵入水が抑えられ、同モジュール左右側縁部間からの浸入水や異物等の浸入がなく、太陽電池モジュールの共有化と汎用性が高い外装構造を、第２には、さらに、足回りにおける接続部材の浮き上がりを防止して、接続部材および太陽電池モジュールが外れるようなことのない外装構造を、第３には、さらに、下接続部材における軒側端部の組付けを挿入することで行なえる外装構造を、第４には、さらに、下接続部材における棟側端部の組付けを載置することで行なえる外装構造を提供することにある。
【課題を解決するための手段】
【０００４】
本発明は前記した課題を達成するため、以下の構成にしたことを特徴とする。
１．屋根下地上に支持部材および接続部材を介して太陽電池モジュールを取付ける外装構造において、前記支持部材は、桁行き方向に配設すると共に、太陽電池モジュールの軒側端部が載置される棟側に突出状の棟側載置部と、太陽電池モジュールの棟側端部が挿入可能な開口部を有する支持空間部を備え、前記接続部材は、上下段に配された前記支持部材間に当該支持部材および／または屋根下地に組み付け状態で配設されると共に、桁行き方向に隣り合う太陽電池モジュールの左右の側縁部が載乗可能な載乗部を有する下接続部材と、この左右の側縁部に跨る押え部を有する上接続部材からなり、上段側の支持部材の前記支持空間部に太陽電池モジュールの棟側端部が挿入されて支持され、当該太陽電池モジュールの軒側端部が下段側の支持部材の前記棟側載置部上に載置され、当該太陽電池モジュールの桁行き方向の左右側縁部が前記上下の接続部材で挟持状に保持され、前記下接続部材の軒側端部は、前記支持部材の棟側載置部の裏面に沿接状に位置することを特徴とする。
２．屋根下地上に支持部材および接続部材を介して太陽電池モジュールを取付ける外装構造において、前記支持部材は、桁行き方向に配設すると共に、太陽電池モジュールの軒側端部が載置される棟側に突出状の棟側載置部と、太陽電池モジュールの棟側端部が挿入可能な開口部を有する支持空間部を備え、前記接続部材は、上下段に配された前記支持部材間に当該支持部材および／または屋根下地に組み付け状態で配設されると共に、桁行き方向に隣り合う太陽電池モジュールの左右の側縁部が載乗可能な載乗部を有する下接続部材と、この左右の側縁部に跨る押え部を有する上接続部材からなり、上段側の支持部材の前記支持空間部に太陽電池モジュールの棟側端部が挿入されて支持され、当該太陽電池モジュールの軒側端部が下段側の支持部材の前記棟側載置部上に載置され、当該太陽電池モジュールの桁行き方向の左右側縁部が前記上下の接続部材で挟持状に保持され、前記支持部材は、前記棟側載置部の下位に棟側に開口状の溝状支え部を設け、前記下接続部材の軒側端部が該溝状支え部内に位置することを特徴とする。
３．前記した１において、前記支持部材は、前記棟側載置部の下位に棟側に開口状の溝状支え部を設け、前記下接続部材の軒側端部が該溝状支え部内に位置することを特徴とする。
４．屋根下地上に支持部材および接続部材を介して太陽電池モジュールを取付ける外装構造において、前記支持部材は、桁行き方向に配設すると共に、太陽電池モジュールの軒側端部が載置される棟側に突出状の棟側載置部と、太陽電池モジュールの棟側端部が挿入可能な開口部を有する支持空間部を備え、前記接続部材は、上下段に配された前記支持部材間に当該支持部材および／または屋根下地に組み付け状態で配設されると共に、桁行き方向に隣り合う太陽電池モジュールの左右の側縁部が載乗可能な載乗部を有する下接続部材と、この左右の側縁部に跨る押え部を有する上接続部材からなり、上段側の支持部材の前記支持空間部に太陽電池モジュールの棟側端部が挿入されて支持され、当該太陽電池モジュールの軒側端部が下段側の支持部材の前記棟側載置部上に載置され、当該太陽電池モジュールの桁行き方向の左右側縁部が前記上下の接続部材で挟持状に保持され、前記支持部材は、開口部の下位に軒側に突出状の軒側載置部を設け、前記下接続部材の棟側端部が該軒側載置部上に位置することを特徴とする。
【０００５】
本発明における屋根下地とは、ＲＣ、鉄骨造等の新たに構築される公知の屋根下地であっても、窯業、セメント、金属等からなる既設の屋根等であってもよく、さらに、ゴムアス等の防水処理を施したものも含まれる。
支持部材は、太陽電池モジュールの軒側端部が載置される棟側載置部と、該太陽電池モジュールの棟側端部が挿入可能な開口部を有する支持空間部を有しているものであればよく、また、下接続部材の軒側端部が挿入される溝状支え部と、該下接続部材の棟側端部が載置される軒側載置部を有しているものであってもよく、この場合、該棟側載置部の下位に溝状支え部が、開口部の下位に軒側載置部が、それぞれ位置するものになる。
棟側載置部は、太陽電池モジュールの軒側端部が載置可能であればよい。この棟側載置部と軒側端部との接触面には止水のためのパッキン材を介在させてもよいし、また、接着を目的とする止水シール材、あるいは、両方を兼ねる粘着性を有するゴム材等を介在させるものでもよい。
【０００６】
支持空間部は、太陽電池モジュールの棟側端部が開口部から挿入可能であればよく、溝状であってもよいし、開口部における支持空間部の軒側付近に太陽電池モジュールの棟側端部裏面部を支持する支持部と、支持空間部の棟側上方付近に太陽電池モジュールの棟側端部表面部が当接する当接部を有しているものであってもよい。後者の場合、支持空間部に太陽電池モジュールの棟側端部を挿入し、太陽電池モジュールを同モジュールの棟側端部裏面部が支持されている支持部を基点として敷設角度に回動することで、同モジュールの棟側端部表面部が支持部材の当接部に当接するものになる。この場合、太陽電池モジュールの棟側端部は開口部における棟側の当接部と軒側の支持部間に挟着状に支持されることになる。かかる棟側端部表面部と当接部との間にはパッキン材等の弾性材を設けてもよく、この場合、弾性材が当接部に押し付けられ、当接部と弾性材が密着して止水性を高めることになる。同様に、棟側端部裏面部と支持部の間に弾性材を設けて止水性を高めるようにしてもよい。かかる弾性材は設けずともよい。太陽電池モジュールの棟側端部裏面部を載置状に支持する支持部は、面状に支持するものでも、線状に支持するものでもよい。
溝状支え部は、太陽電池モジュールの左右の側縁部が載乗する下接続部材の長手方向の軒側端部あるいは太陽電池モジュール裏面に配設される補強材の軒側端部が挿入状に保持されるものであればよい。
軒側載置部は、下接続部材の長手方向の棟側端部あるいは太陽電池モジュール裏面に配設される補強材の棟側端部が載置して支持されるものであればよい。
【０００７】
接続部材は、上下段の支持部材間に組み付け状態に配設されると共に、太陽電池モジュールの桁行き方向の左右側縁部が載乗される載乗部を有する下接続部材と、該左右の側縁部に跨る押え部を有する上接続部材からなる上下一対のものであればよく、下接続部材上に上接続部材を取付けることで、下接続部材と上接続部材間に太陽電池モジュールにおける桁行き方向の左右側縁部を挟持状に保持し得るものであればよい。そして、この下接続部材と上接続部材間に太陽電池モジュールにおける桁行き方向の左右側縁部を挟持状に保持することにより、下接続部材の軒側端部が支持部材における棟側載置部裏面に沿設状に位置し且つ同部材の棟側端部が支持部材における開口部の下位の軒側載置部に載置されて位置した場合、この下接続部材と上接続部材間に左右側縁部を挟持されて一体的に接続された桁行き方向の各太陽電池モジュールの棟側端部が支持空間部に支持され、軒側端部が棟側載置部に支持されることで、太陽電池モジュールは支持部材に強固に組み付けられることになる。これにより、太陽電池モジュールの実質的な固定は、棟側端部を支持空間部内に挿入することによる支持と、軒側端部を棟側載置部に載置することによる支持と、左右側縁部を下接続部材および上接続部材で挟持して支持部材に固定することで行われることになり、同モジュールの四辺全てが支持・固定されるようになる。
接続部材の組み付け状態は、上下段の支持部材に組み付けられて配設される態様、支持部材および屋根下地に組み付けられて配設される態様、屋根下地に組み付けられて配設される態様のいずれのものであってもよい。かかる組み付けは、挿入あるいはビス等の固定具もしくは双方を併用して組み付けられるものであってもよく、その他の組み付け方を含めて特に限定されない。
【０００８】
下接続部材は、太陽電池モジュールの左右側縁部が載乗するに足る幅（桁行き方向）および長さ（軒棟方向）を有し、この長さは、同部材の軒側端部が棟側載置部裏面あるいは溝状支え部内まで達する長さ状でも、同部材の棟側端部が軒側載置部まで達する長さ状であっても、同部材の軒側端部が棟側載置部裏面あるいは溝状支え部内まで達する一方で、同部材の棟側端部が軒側載置部まで達する長さ状のものでもよい。かかる下接続部材には長さ方向の排水部を設けるようにしてもよいし、そうしなくてもよく、前者であれば雨仕舞が良好になる。
上接続部材は、左右側縁部を押えるに足る幅および長さを有し、この長さは、軒側の端部が下段側の支持部材を跨いで下段側の上接続部材の棟側端部上まで達する長さ状のものでもよい。また、上接続部材はピース材であってもよく、この場合、ピース材を覆設するように別途カバー部材（化粧部材）を配設するようにしてもよい。
下接続部材への上接続部材の取り付けは、ビス止めであってもよいし、嵌合、係合、その他の取り付け手段でもよい。この下接続部材に上接続部材を組み付けることで、両部材間に太陽電池モジュールの左右側縁部を挟持可能であればよい。
この接続部材は、上下平行状の支持部材間に左右平行状に取付けることで、太陽電池モジュールの外郭形状と略同形の平面視格子状に組み付けて形成してもよいし、そうしなくてもよい。
【０００９】
太陽電池モジュールは、正方形あるいは長方形等の適宜板状のもので、側縁の一部あるいは全周に保護枠体を取り付けるようにしてもよい。この場合、同モジュール側縁が保護されることになるし、同モジュールの棟側端部裏面部における支持部との接触面保護、さらに、同モジュールの棟側端部表面部における当接部との接触面保護が果たされることになる。
支持部材における長手方向の支持空間部端縁下側には排水空間を設けるようにしてもよく、この排水空間は、外装材下側の下地面全域に設けられる下葺き材、あるいは、支持部材の長手方向の端部の接続箇所下側に設けられるドレーン（排水部材）、もしくは、双方であってもよく、棟側載置部上に侵入した水（侵入水、結露水）が、支持部材の支持空間部もしくは下段の太陽電池モジュールや屋根上に排出するために、「水抜孔」を溝状支え部に開けることで排出されるようにしてもよいし、下地上の全部、もしくは部分的に設けられる排水空間に排出するものでもよく、「孔」と「排水空間」の併用であってもよい。
【発明の効果】
【００１０】
Ａ．請求項１により、桁行き方向の支持部材および軒棟方向の下接続部材に対して太陽電池モジュールを配するのに、同モジュールの棟側端部を開口部から支持空間部に挿入した後に軒側端部を下げて棟側載置部に降ろすことで、同モジュールの軒側端部が同載置部に、左右側縁部が載乗部に、それぞれ載置される。このように太陽電池モジュールの取付けが挿入と載置で行われるため、組み付け施工し易い。そして、太陽電池モジュールだけを取り外すことができるから、メンテナンスを容易に行える。また、支持部材および接続部材に太陽電池モジュールを直接配するので、建築コストを低減できる。また、支持空間部によって、裏面へ侵入した雨水等を受け止めるので、内部への侵入を防ぐことができる。また、太陽電池モジュールの軒側端部が棟側載置部に載置されているため、同モジュール表面を流下する雨水がフレーム材等によって堰き止められる恐れがなく、軒側端部からモジュール裏面への水の侵入を抑えることができる。同モジュール側縁部間からの浸入水や異物等の浸入がない。また、太陽電池モジュールを、支持部材に対して挿入と載置によって組み付け、下接続部材に対して載乗させて上接続部材とで挟持状に保持することで組み付けるため、太陽電池モジュールサイズに制限を受けず、部材の共有化が図れ汎用性が高い。さらに、下接続部材の軒側端部が棟側載置部の先端（棟側端）より軒側に位置することで、接続部材の浮き上がりを防止することができる。そして、太陽電池モジュールの棟側端部が支持空間部内に支持されて、同モジュールの左右側縁部が押さえられているので、接続部材および同モジュールは外れることが無い。また、太陽電池モジュールにおける左右側縁部をその軒側端部まで支持することができる。
Ｂ．請求項２により、桁行き方向の支持部材および軒棟方向の下接続部材に対して太陽電池モジュールを配するのに、同モジュールの棟側端部を開口部から支持空間部に挿入した後に軒側端部を下げて棟側載置部に降ろすことで、同モジュールの軒側端部が同載置部に、左右側縁部が載乗部に、それぞれ載置される。このように太陽電池モジュールの取付けが挿入と載置で行われるため、組み付け施工し易い。そして、太陽電池モジュールだけを取り外すことができるから、メンテナンスを容易に行える。また、支持部材および接続部材に太陽電池モジュールを直接配するので、建築コストを低減できる。また、支持空間部によって、裏面へ侵入した雨水等を受け止めるので、内部への侵入を防ぐことができる。また、太陽電池モジュールの軒側端部が棟側載置部に載置されているため、同モジュール表面を流下する雨水がフレーム材等によって堰き止められる恐れがなく、軒側端部からモジュール裏面への水の侵入を抑えることができる。同モジュール側縁部間からの浸入水や異物等の浸入がない。また、太陽電池モジュールを、支持部材に対して挿入と載置によって組み付け、下接続部材に対して載乗させて上接続部材とで挟持状に保持することで組み付けるため、太陽電池モジュールサイズに制限を受けず、部材の共有化が図れ汎用性が高い。さらに、下接続部材における軒側端部の組付けを支持部材の溝状支え部に挿入することで行なうことができて施工性がよい。
Ｃ．請求項３により、さらに、下接続部材における軒側端部の組付けを支持部材の溝状支え部に挿入することで行なうことができて施工性がよい。
Ｄ．請求項４により、桁行き方向の支持部材および軒棟方向の下接続部材に対して太陽電池モジュールを配するのに、同モジュールの棟側端部を開口部から支持空間部に挿入した後に軒側端部を下げて棟側載置部に降ろすことで、同モジュールの軒側端部が同載置部に、左右側縁部が載乗部に、それぞれ載置される。このように太陽電池モジュールの取付けが挿入と載置で行われるため、組み付け施工し易い。そして、太陽電池モジュールだけを取り外すことができるから、メンテナンスを容易に行える。また、支持部材および接続部材に太陽電池モジュールを直接配するので、建築コストを低減できる。また、支持空間部によって、裏面へ侵入した雨水等を受け止めるので、内部への侵入を防ぐことができる。また、太陽電池モジュールの軒側端部が棟側載置部に載置されているため、同モジュール表面を流下する雨水がフレーム材等によって堰き止められる恐れがなく、軒側端部からモジュール裏面への水の侵入を抑えることができる。同モジュール側縁部間からの浸入水や異物等の浸入がない。また、太陽電池モジュールを、支持部材に対して挿入と載置によって組み付け、下接続部材に対して載乗させて上接続部材とで挟持状に保持することで組み付けるため、太陽電池モジュールサイズに制限を受けず、部材の共有化が図れ汎用性が高い。さらに、下接続部材における棟側端部の組付けを支持部材の軒側載置部に載置することで行なうことができる。これにより、下接続部材そして太陽電気モジュールの組み付けをそれぞれ挿入と載置により行うことができて組み付け作業全体に施工性がよい。
【発明を実施するための最良の形態】
【００１１】
図１〜３には本発明の外装構造における実施の１形態として屋根面が太陽電池で形成された横葺屋根を例示しており、下地１全域に敷設された下葺き部材２上の流れ方向（軒棟方向）に沿う垂木３上に支持部材４を桁行き方向に架設して上下平行状に配設してある。この支持部材４は棟側と軒側の固定部４ａを垂木３の上面部３ａから切り起こした棟側および軒側の掛止爪部３ｂでそれぞれ掛止して同上面部３ａに固定してある。上面部３ａのストッパー３ｃは、軒側の固定部４ａが軒側の掛止爪部３ｂとの掛止状態にビス６で止め固定されるまで、棟側の固定部４ａが掛止爪部３ｂとの掛止状態から外れ動かないように支えている。また、支持部材４の長手方向の支持空間部４ｆ端縁下側の下葺き部材２上には排水空間２ａを設けてある。
支持部材４は、流れ方向と交わる桁行き方向に長尺状の同一断面形状のもので、軒側の固定部４ａ上の軒側起立部４ｂ上縁には台座状の支持部４ｃを延設し、この支持部４ｃに、太陽電池モジュール５の棟側端部裏面部５ｄが載置して支持されるように形成してある。支持部４ｃ下側の軒側起立部４ｂ途中には軒側載置部４ｄを設け、この軒側載置部４ｄに、桁行き方向に隣り合う太陽電池モジュール５の左右側縁部５ｅを上接続部材９とで挟持状に保持する下接続部材８の棟側端部８ａが載置可能に形成してある。
【００１２】
軒側および棟側の固定部４ａ上の軒側起立部４ｂと棟側起立部４ｅ間には支持空間部４ｆを形成し、棟側起立部４ｅ上縁には軒側に延びる当接部４ｇを延設し、この当接部４ｇに、支持部４ｃに載置して支持された敷設状態の太陽電池モジュール５の棟側端部表面部５ｃが当接するように形成してある。
支持空間部４ｆは、軒側の支持部４ｃと棟側の当接部４ｇとの間に開口部４ｈを上向きに開口し、この開口部４ｈに太陽電池モジュール５の棟側端部５ｂが挿脱可能に形成してある。
当接部４ｇ先端には斜め上向き傾斜状の棟側延長部４ｉを延設し、棟側延長部４ｉ上縁には棟側に突出状の棟側載置部４ｊを延設して、この断面Ｌ字状の棟側載置部４ｊに太陽電池モジュール５の軒側端部５ａが載置可能に形成してある。この棟側載置部４ｊから支持空間部４ｆに連なる棟側延長部４ｉは、屋根部材の軒側形状と略同一に形成するようにしてもよい。
棟側載置部４ｊ下側の棟側起立部４ｅ上縁には棟側に延びる棟側支え部４ｋを棟側に突出状に延設し、この上下対向状の棟側載置部４ｊと棟側支え部４ｋ間の溝状支え部４ｍに、桁行き方向に隣り合う太陽電池モジュール５の左右側縁部５ｅを受支する下接続部材８の軒側端部８ｂが挿脱可能に形成してある。
【００１３】
かかる支持部材４の支持空間部４ｆには開口部４ｈから太陽電池モジュール５の棟側端部５ｂを挿入して、軒側端部５ａを棟側載置部４ｊに載置することにより、棟側端部５ｂすなわち棟側端部裏面部５ｄを支持部４ｃで下側から支持する一方で、棟側端部表面部５ｃを当接部４ｇで上側から押えて挟持状に組み付けてある。
太陽電池モジュール５は、矩形状の板状のもので、棟側端部表面部５ｃを当接部４ｇにおけるパッキン４ｎに弾性的に接触する一方で、棟側端部裏面部５ｄを支持部４ｃにおけるパッキン４ｐに弾性的に接触し、支持空間部４ｆに対する棟側端部５ｂの挿入状態を水密性が保たれた挿入関係に形成してある。そして、軒側端部５ａを棟側載置部４ｊに、両面が止水および接着を兼ねている弾性テープ４ｒで取付けて載置し、棟側載置部４ｊに対する軒側端部５ａの載置状態を水密性が保たれた載置関係に形成してある。
この太陽電池モジュール５の桁行き方向に隣り合う左右の側縁部５ｅは、接続部材７すなわち下接続部材８と上接続部材９で挟持状に保持している。
【００１４】
接続部材７は、軒棟方向に長い下接続部材８と上接続部材９からなり、下接続部材８には排水部８ｃ中央の固定部８ｄの左右に載乗部８ｅを延設し、上接続部材９には太陽電池モジュール５ならびに上下のパッキン８ｆ，９ｅの厚さ相当の仕切り部９ｃを垂設すると共にこの左右の仕切り部９ｃの左右に押え部９ｄをそれぞれ設けてある。また、左右の仕切り部９ｃ下端にはガイド部９ｇを垂設し、このガイド部９ｇが固定部８ｄの顎部８ｇに係止することで、下接続部材８に対する上接続部材９の上下位置関係を位置決めし得るようにしている。
この下接続部材８は、軒側端部８ｂを上下対向状の棟側載置部４ｊと棟側支え部４ｋ間の溝状支え部４ｍに挿入状に収め、棟側端部８ａを軒側載置部４ｄに載置し且つビス１０で棟側端部８ａにおける固定部８ｄを軒側載置部４ｄに止着して上下段の支持部材４間に架橋状に取り付けてある。
【００１５】
そして、下接続部材８の固定部８ｄにおける左右の載乗部８ｅと上接続部材９の左右の押え部９ｄとの間には、桁行き方向に隣り合う太陽電池モジュール５の左右の側縁部５ｅをそれぞれ挟持して保持し、ビス１１で下接続部材８と上接続部材９を固定することにより、太陽電池モジュール５の左右側縁部５ｅを挟持固定してある。載乗部８ｅにはパッキン８ｆを、押え部９ｄにはパッキン９ｅを、それぞれ貼設してあり、太陽電池モジュール５の左右側縁部５ｅとそれぞれ弾性的に接触することで水密性が得られるようにしてある。
上接続部材９は、棟側端部９ａを太陽電池モジュール５の棟側端部５ｂ端縁近くまで延ばして覆設してある一方で、軒側端部９ｂを支持部材４における棟側延長部４ｉ上まで延設し、この斜め下向き傾斜状の軒側延長部９ｆを棟側延長部４ｉに沿接してビス１２で止着して支持部材４側に取り付けてある。
【００１６】
これにより、垂木３上に固定した上下段の支持部材４間に下接続部材８を挿入・載置して架橋状に取付けした後、この上下段の支持部材４間および下接続部材８上に太陽電池モジュール５を挿入・載置して取り付け、然る後に、上下の接続部材８，９で太陽電池モジュール５の左右側縁部５ｅを挟持して保持することにより、同モジュール５を上下段の支持部材４および左右の接続部材７に一体的に組み付けられる。
また、前記した組み付け例に対し、太陽電池モジュール５を点検、補修、交換する等のメンテナンス例について説明すると、ビス１１，１２を外して上接続部材９を取り外すことで、棟側載置部４ｊから軒側端部５ａを引き上げつつ棟側端部５ｂを支持空間部４ｆ内から抜き出すことにより、太陽電池モジュール５は取り外せる。
そして、対象の太陽電池モジュール５における左右の上接続部材９を取り外すことで、個別に太陽電池モジュール５を取り外せる。
【００１７】
図４、図６〜図８には本発明の外装構造における支持部材の他の形態を例示しており、構成は前記した図１の態様のものと基本的に同一であるため、共通している構成の説明は符合を準用して省略し、相違する構成について説明する。
図４の支持部材４では、当接部４ｇにおけるパッキン４ｎを図５に示すような中空部を有する弾性変形が大きいものにすることで、棟側端部表面部５ｃと当接部４ｇ間の水密性を向上させている。
図６の支持部材４では、当接部４ｇおよび支持部４ｃにおけるパッキン４ｎ，４ｐを図５に示すような中空部を有する弾性変形が大きいものにすることで、棟側端部表面部５ｃと当接部４ｇ間および棟側端部裏面部５ｄと支持部４ｃ間の水密性をそれぞれ向上させている。
図７の支持部材４では、棟側載置部４ｊおよび溝状支え部４ｍの位置を下げて、棟側載置部４ｊと当接部４ｇを上下に背合せ状に配設することで、上段側の太陽電池モジュール５における軒側端部５ａと下段側の太陽電池モジュール５における棟側端部５ｂとの段差が低くなるように形成してある。
図８の支持部材４では、棟側載置部４ｊおよび溝状支え部４ｍの位置をさらに下げて、棟側載置部４ｊと当接部４ｇを軒棟方向に背合せ状に配設することで、上段側の太陽電池モジュール５における軒側端部５ａと下段側の太陽電池モジュール５における棟側端部５ｂとの段差をなくして、上段側と下段側の太陽電池モジュール５がフラットに連続するように形成してある。
【００１８】
図９には本発明の外装構造における接続部材の他の形態を例示しており、構成は前記した図１の態様のものと基本的に同一であるため、共通している構成の説明は符合を準用して省略し、相違する構成について説明する。
接続部材６は、上接続部材９における仕切り部９ｃを除いてあり、下接続部材８に対して上接続部材９が位置決めされない態様に形成してある。
【図面の簡単な説明】
【００１９】
【図１】本発明の外装構造における実施の１形態を例示している縦断側面図。
【図２】部分拡大縦断側面図。
【図３】部分拡大縦断正面図。
【図４】本発明の外装構造における支持部材の他の１形態を例示している縦断側面図。
【図５】パッキンの部分拡大縦断面図。
【図６】本発明の外装構造における支持部材の他の１形態を例示している縦断側面図。
【図７】本発明の外装構造における支持部材の他の１形態を例示している縦断側面図。
【図８】本発明の外装構造における支持部材の他の１形態を例示している縦断側面図。
【図９】本発明の外装構造における接続部材および上接続部材の他の１形態を例示している縦断正面図。
【符号の説明】
【００２０】
１  下地（屋根下地）
２  下葺き部材
２ａ  排水空間
３  垂木
３ａ  上面部
３ｂ  掛止爪部
３ｃ  ストッパー
４  支持部材
４ａ  固定部
４ｂ  軒側起立部
４ｃ  支持部
４ｄ  軒側載置部
４ｅ  棟側起立部
４ｆ  支持空間部
４ｇ  当接部
４ｈ  開口部
４ｉ  棟側延長部
４ｊ  棟側載置部
４ｋ  棟側支え部
４ｍ  溝状支え部
４ｎ，４ｐ，８ｆ，９ｅ  パッキン
４ｒ  弾性テープ
５  太陽電池モジュール
５ａ  軒側端部
５ｂ  棟側端部
５ｃ  棟側端部表面部
５ｄ  棟側端部裏面部
５ｅ  左右の側縁部
７  接続部材
８  下接続部材
８ａ  棟側端部
８ｂ  軒側端部
８ｃ  排水部
８ｄ  固定部
８ｅ  載乗部
８ｇ  顎部
９  上接続部材
９ａ  棟側端部
９ｂ  軒側端部
９ｃ  仕切り部
９ｄ  押え部
９ｆ  軒側延長部
９ｇ  ガイド部
６，１０，１１，１２  ビス
【図１】
0004509949.tif 000002
【図２】
0004509949.tif 000003
【図３】
0004509949.tif 000004
【図４】
0004509949.tif 000005
【図５】
0004509949.tif 000006
【図６】
0004509949.tif 000007
【図７】
0004509949.tif 000008
【図８】
0004509949.tif 000009
【図９】
0004509949.tif 000010